(57)【要約】      （修正有）【課題】印刷条件や観察環境の変更の都度に色調整作業を行うことなく、それぞれの印刷条件及び観察環境に適した画像データに変換できる色変換方法を提供する。【解決手段】第１印刷物と、第２印刷物との第１の分光データを取得し、第２印刷物に被覆させる第２ラミネートフイルムの第２の分光データを取得し、第１印刷物の観察光源である光源ＰＳと、第２保護膜付印刷物の観察光源である光源ＤＳとの第３の分光データを取得し、第１及び第３の分光データに基づいて第１印刷物に対応する第１プロファイルを生成し、第１及び第２の分光データ並びに光源ＤＳの第３の分光データに基づいて第２保護膜付印刷物に対応する第２プロファイルを生成し、前記第１プロファイルを入力側プロファイルとして用い、前記第２プロファイルを出力側プロファイルとして用いて、第１印刷物の画像を表す画像データを第２印刷物の画像を表す画像データに色変換する。【選択図】図８
2011188091.tif 000002
【特許請求の範囲】
【請求項１】
第１メディアに印刷して得られた第１印刷物と、前記第１メディアと同一の又は異なるメディアである第２メディアに印刷して得られた第２印刷物との光学物性値を取得する第１取得ステップと、
前記第２印刷物に被覆させる保護膜である第２保護膜の光学物性値を取得する第２取得ステップと、
前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得ステップと、
取得された前記第１印刷物の光学物性値及び前記第１光源の分光分布に基づいて前記第１印刷物に対応する第１プロファイルを生成する第１生成ステップと、
取得された前記第２印刷物及び前記第２保護膜の光学物性値並びに前記第２光源の分光分布に基づいて前記第２保護膜付印刷物に対応する第２プロファイルを生成する第２生成ステップと、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する色変換ステップと
を備えることを特徴とする色変換方法。
【請求項２】
第１メディアに印刷して得られた第１印刷物と、前記第１メディアと同一の又は異なるメディアである第２メディアに印刷して得られた第２印刷物との光学物性値を取得する第１取得ステップと、
前記第１印刷物に被覆させる第１保護膜と、前記第１保護膜と同一の又は異なる保護膜であって前記第２印刷物に被覆させる保護膜である第２保護膜との光学物性値を取得する第２取得ステップと、
前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得ステップと、
取得された前記第１印刷物及び前記第１保護膜の光学物性値並びに前記第１光源の分光分布に基づいて前記第１保護膜付印刷物に対応する第１プロファイルを生成する第１生成ステップと、
取得された前記第２印刷物及び前記第２保護膜の光学物性値並びに前記第２光源の分光分布に基づいて前記第２保護膜付印刷物に対応する第２プロファイルを生成する第２生成ステップと、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する色変換ステップと
を備えることを特徴とする色変換方法。
【請求項３】
請求項２記載の色変換方法において、
前記第２保護膜にはいずれの保護膜も被覆させない状態が含まれ、
前記第２取得ステップでは、前記第１印刷物に被覆させる第１保護膜の光学物性値を取得し、
前記第３取得ステップでは、前記第１印刷物に前記第１保護膜を被覆させて得られた第１保護膜付印刷物の観察光源である第１光源と、前記第２印刷物の観察光源である第２光源との分光分布を取得し、
前記第２生成ステップでは、取得された前記第２印刷物の光学物性値及び前記第２光源の分光分布に基づいて前記第２印刷物に対応する第２プロファイルを生成する
ことを特徴とする色変換方法。
【請求項４】
請求項１〜３のいずれか１項に記載の色変換方法において、
前記第１取得ステップは、
メディアの種類を指定するステップと、
データベースの参照又は印刷物の測色により、指定された前記メディアの種類に対応する光学物性値を取得するステップと
をさらに備えることを特徴とする色変換方法。
【請求項５】
請求項１〜４のいずれか１項に記載の色変換方法において、
前記第２取得ステップは、
保護膜の種類を指定するステップと、
データベースの参照又は保護膜の測定により、指定された前記保護膜の種類に対応する光学物性値を取得するステップと
をさらに備えることを特徴とする色変換方法。
【請求項６】
請求項１〜４のいずれか１項に記載の色変換方法において、
前記第３取得ステップは、
光源の種類を指定するステップと、
データベースの参照又は光源の測定により、指定された前記光源の種類に対応する分光分布を取得するステップと
をさらに備えることを特徴とする色変換方法。
【請求項７】
請求項１〜６のいずれか１項に記載の色変換方法において、
前記色変換ステップは、前記第１プロファイルに係る黒点の色値と前記第２プロファイルに係る黒点の色値とを一致させるようにマッピングをするステップをさらに備える
ことを特徴とする色変換方法。
【請求項８】
請求項７記載の色変換方法において、
ＧＵＩに画像を表示するステップと、
前記ＧＵＩを用いたユーザ操作に従って前記第１保護膜又は前記第２保護膜の種類を指定するステップと、
前記第１保護膜及び前記第２保護膜の種類がいずれも保護膜を被覆しないと指定された場合には前記マッピングの要否を選択不可となるように、それ以外の場合には前記マッピングの要否を選択可能となるように、表示させる前記ＧＵＩに画像を変更するステップと
をさらに備えることを特徴とする色変換方法。
【請求項９】
請求項１〜８のいずれか１項に記載の色変換方法において、
メディアが反射メディアである場合は、印刷物の光学物性値は分光反射率であるとともに、保護膜の光学物性値は該保護膜の光波長毎の固有反射率、散乱係数及び吸収係数のうちの独立な２つの光学物性値である
ことを特徴とする色変換方法。
【請求項１０】
請求項１〜８のいずれか１項に記載の色変換方法において、
メディアが透過メディアである場合は、印刷物及び保護膜の光学物性値は分光透過率である
ことを特徴とする色変換方法。
【請求項１１】
第１メディアに印刷して得られた第１印刷物と、前記第１メディアと同一の又は異なるメディアである第２メディアに印刷して得られた第２印刷物との光学物性値を取得する第１取得部と、
前記第２印刷物に被覆させる保護膜である第２保護膜の光学物性値を取得する第２取得部と、
前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得部と、
前記第１取得部により取得された前記第１印刷物の光学物性値と、前記第３取得部により取得された前記第１光源の分光分布とに基づいて前記第１印刷物に対応する第１プロファイルを生成するとともに、前記第１取得部により取得された前記第２印刷物の光学物性値と、前記第２取得部により取得された前記第２保護膜の光学物性値と、前記第３取得部により取得された前記第２光源の分光分布とに基づいて前記第２保護膜付印刷物に対応する第２プロファイルを生成するプロファイル生成部と、
前記プロファイル生成部により生成された前記第１プロファイルを入力側プロファイルとして用い、前記プロファイル生成部により生成された前記第２プロファイルを出力側プロファイルとして用いて、前記第１印刷物の画像を表す画像データを前記第２印刷物の画像を表す画像データに色変換する色変換処理部と
を有することを特徴とする色変換装置。
【請求項１２】
第１メディアに印刷して得られた第１印刷物と、前記第１メディアと同一の又は異なるメディアである第２メディアに印刷して得られた第２印刷物との光学物性値を取得する第１取得部と、
前記第１印刷物に被覆させる第１保護膜と、前記第１保護膜と同一の又は異なる保護膜であって前記第２印刷物に被覆させる保護膜である第２保護膜との光学物性値を取得する第２取得部と、
前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得部と、
前記第１取得部により取得された前記第１印刷物の光学物性値と、前記第２取得部により取得された前記第１保護膜の光学物性値と、前記第３取得部により取得された前記第１光源の分光分布とに基づいて前記第１保護膜付印刷物に対応する第１プロファイルを生成するとともに、前記第１取得部により取得された前記第２印刷物の光学物性値と、前記第２取得部により取得された前記第２保護膜の光学物性値と、前記第３取得部により取得された前記第２光源の分光分布とに基づいて前記第２保護膜付印刷物に対応する第２プロファイルを生成するプロファイル生成部と、
前記プロファイル生成部により生成された前記第１プロファイルを入力側プロファイルとして用い、前記プロファイル生成部により生成された前記第２プロファイルを出力側プロファイルとして用いて、前記第１印刷物の画像を表す画像データを前記第２印刷物の画像を表す画像データに色変換する色変換処理部と
を有することを特徴とする色変換装置。
【請求項１３】
コンピュータに、
第１メディアに印刷して得られた第１印刷物と、前記第１メディアと同一の又は異なるメディアである第２メディアに印刷して得られた第２印刷物との光学物性値を取得する手段、
前記第２印刷物に被覆させる保護膜である第２保護膜の光学物性値を取得する手段、
前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する手段、
前記第１印刷物の光学物性値と、前記第１光源の分光分布とに基づいて前記第１印刷物に対応する第１プロファイルを生成する手段、
前記第２印刷物及び前記第２保護膜の光学物性値並びに前記第２光源の分光分布に基づいて前記第２保護膜付印刷物に対応する第２プロファイルを生成する手段、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する手段
として機能させることを特徴とするプログラム。
【請求項１４】
コンピュータに、
第１メディアに印刷して得られた第１印刷物と、前記第１メディアと同一の又は異なるメディアである第２メディアに印刷して得られた第２印刷物との光学物性値を取得する手段、
前記第１印刷物に被覆させる第１保護膜と、前記第１保護膜と同一の又は異なる保護膜であって前記第２印刷物に被覆させる保護膜である第２保護膜との光学物性値を取得する手段、
前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する手段、
取得された前記第１印刷物及び前記第１保護膜の光学物性値並びに前記第１光源の分光分布に基づいて前記第１保護膜付印刷物に対応する第１プロファイルを生成する手段、
取得された前記第２印刷物及び前記第２保護膜の光学物性値並びに前記第２光源の分光分布に基づいて前記第２保護膜付印刷物に対応する第２プロファイルを生成する手段、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する手段
として機能させることを特徴とするプログラム。
【発明の詳細な説明】
【技術分野】
【０００１】
本発明は、第１印刷物上において適切な色の画像を得るための画像データを、第２印刷物上において適切な色の画像を得るための画像データに変換する色変換方法、色変換装置及びプログラムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、合成紙・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。
【０００５】
ところで、この印刷物が掲示される場所も多種多彩であり、屋外のみならず、室内や、スポットライト照明に晒される展示場に掲示される場合もある。一般的には、印刷物の掲示場所の差異に応じて、観察光源としての環境光が有する分光特性（分光エネルギー分布）が変化する。
【０００６】
このため、同一の印刷物であっても観察光源が異なる場合は、人間の眼の網膜に最終的に到達する光の分光特性が変化するので、程度の多少はあるが、観察者にとっての印刷物の見え（色の印象）が変動し得る。よって、印刷物形成下の観察環境（つまり、印刷機の設置場所）と掲示場所の観察環境とが著しく相違する場合は、所望の色を有する印刷物が得られないという事態が想定される。
【０００７】
これに対し、特許文献１には、画像を観察する環境の光源特性を取得し、環境光による色順応を考慮したカラーマッチング処理を行う装置及び方法が開示されている（特許文献１の［０００８］〜［００１２］参照）。
【０００８】
また、特許文献２には、データ属性の異なる複数のプロファイルを組み合わせて入出力デバイスのプロファイルを構成するシステムが開示されている。例えば、印刷出力条件プロファイルとして紙に関するパラメータ（特許文献２の［００４７］、図４参照）が、観察条件プロファイルとして観察光源に関するパラメータ（同［００４９］、図６参照）がそれぞれ設定される。これにより、観察光源やメディアの種類に応じて画像データを容易に処理可能であり、高精度な色再現を行うことができる（同［００８６］参照）。
【先行技術文献】
【特許文献】
【０００９】
【特許文献１】特開２００２−２１８２６６号公報
【特許文献２】特開平７−１５４６２３号公報
【発明の概要】
【発明が解決しようとする課題】
【００１０】
本発明は前記特許文献１及び２に開示されている技術的思想に関連してなされたものであり、印刷条件や観察環境の変更の都度に色調整作業を行うことなく、それぞれの印刷条件及び観察環境に適した画像データに変換できる色変換方法、色変換装置及びプログラムを提供することを目的とする。
【課題を解決するための手段】
【００１１】
本発明に係る色変換方法は、第１メディアに印刷して得られた第１印刷物と、前記第１メディアと同一の又は異なるメディアである第２メディアに印刷して得られた第２印刷物との光学物性値を取得する第１取得ステップと、前記第２印刷物に被覆させる保護膜である第２保護膜の光学物性値を取得する第２取得ステップと、前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得ステップと、取得された前記第１印刷物の光学物性値及び前記第１光源の分光分布に基づいて前記第１印刷物に対応する第１プロファイルを生成する第１生成ステップと、取得された前記第２印刷物及び前記第２保護膜の光学物性値並びに前記第２光源の分光分布に基づいて前記第２保護膜付印刷物に対応する第２プロファイルを生成する第２生成ステップと、生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する色変換ステップとを備えることを特徴とする。
【００１２】
本発明に係る色変換方法は、第１メディアに印刷して得られた第１印刷物と、前記第１メディアと同一の又は異なるメディアである第２メディアに印刷して得られた第２印刷物との光学物性値を取得する第１取得ステップと、前記第１印刷物に被覆させる第１保護膜と、前記第１保護膜と同一の又は異なる保護膜であって前記第２印刷物に被覆させる保護膜である第２保護膜との光学物性値を取得する第２取得ステップと、前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得ステップと、取得された前記第１印刷物及び前記第１保護膜の光学物性値並びに前記第１光源の分光分布に基づいて前記第１保護膜付印刷物に対応する第１プロファイルを生成する第１生成ステップと、取得された前記第２印刷物及び前記第２保護膜の光学物性値並びに前記第２光源の分光分布に基づいて前記第２保護膜付印刷物に対応する第２プロファイルを生成する第２生成ステップと、生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する色変換ステップとを備えることを特徴とする。
【００１３】
このように、第１印刷物（第１保護膜付印刷物）に適切な第１プロファイルを入力側プロファイルとして用い、第２保護膜付印刷物に適切な第２プロファイルを出力側プロファイルとして用いるようにしたので、第１印刷物（第１保護膜付印刷物）を形成するために適切なカラー画像データをそのまま用いて、様々な印刷条件・観察環境下に応じた第２保護膜付印刷物の色再現を適切に行うことができる。これにより、印刷条件・観察環境の組合せを変更する都度に色の微調整を行う必要がなくなり、色調整作業に要する工数を大幅に低減することができる。
【００１４】
また、前記第１取得ステップは、メディアの種類を指定するステップと、データベースの参照又は印刷物の測色により、指定された前記メディアの種類に対応する光学物性値を取得するステップとをさらに備えることが好ましい。
【００１５】
さらに、前記第２取得ステップは、保護膜の種類を指定するステップと、データベースの参照又は保護膜の測定により、指定された前記保護膜の種類に対応する光学物性値を取得するステップとをさらに備えることが好ましい。
【００１６】
さらに、前記第３取得ステップは、光源の種類を指定するステップと、データベースの参照又は光源の測定により、指定された前記光源の種類に対応する分光分布を取得するステップとをさらに備えることが好ましい。
【００１７】
さらに、前記色変換ステップは、前記第１プロファイルに係る黒点の色値と前記第２プロファイルに係る黒点の色値とを一致させるようにマッピングをするステップをさらに備えることが好ましい。これにより、第１印刷物（第１保護膜付印刷物）と第２保護膜付印刷物との間において、特にシャドー領域内の色再現性を略一致させることができる。
【００１８】
さらに、ＧＵＩに画像を表示するステップと、前記ＧＵＩを用いたユーザ操作に従って前記第１保護膜又は前記第２保護膜の種類を指定するステップと、前記第１保護膜及び前記第２保護膜の種類がいずれも保護膜を被覆しないと指定された場合には前記マッピングの要否を選択不可となるように、それ以外の場合には前記マッピングの要否を選択可能となるように、表示させる前記ＧＵＩに画像を変更するステップとをさらに備えることが好ましい。これにより、保護膜の被覆によるシャドー領域の色変化を適切に補正できる。
【００１９】
さらに、メディアが反射メディアである場合は、印刷物の光学物性値は分光反射率であるとともに、保護膜の光学物性値は該保護膜の光波長毎の固有反射率、散乱係数及び吸収係数のうちの独立な２つの光学物性値であることが好ましい。これにより、反射メディアにおける保護膜付印刷物の分光反射率を精度良く推定できる。
【００２０】
さらに、メディアが透過メディアである場合は、印刷物及び保護膜の光学物性値は分光透過率であることが好ましい。これにより、透過メディアにおける保護膜付印刷物の分光透過率を精度良く推定できる。
【００２１】
本発明に係る色変換装置は、第１メディアに印刷して得られた第１印刷物と、前記第１メディアと同一の又は異なるメディアである第２メディアに印刷して得られた第２印刷物との光学物性値を取得する第１取得部と、前記第２印刷物に被覆させる保護膜である第２保護膜の光学物性値を取得する第２取得部と、前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得部と、前記第１取得部により取得された前記第１印刷物の光学物性値と、前記第３取得部により取得された前記第１光源の分光分布とに基づいて前記第１印刷物に対応する第１プロファイルを生成するとともに、前記第１取得部により取得された前記第２印刷物の光学物性値と、前記第２取得部により取得された前記第２保護膜の光学物性値と、前記第３取得部により取得された前記第２光源の分光分布とに基づいて前記第２保護膜付印刷物に対応する第２プロファイルを生成するプロファイル生成部と、前記プロファイル生成部により生成された前記第１プロファイルを入力側プロファイルとして用い、前記プロファイル生成部により生成された前記第２プロファイルを出力側プロファイルとして用いて、前記第１印刷物の画像を表す画像データを前記第２印刷物の画像を表す画像データに色変換する色変換処理部とを有することを特徴とする。
【００２２】
本発明に係る色変換装置は、第１メディアに印刷して得られた第１印刷物と、前記第１メディアと同一の又は異なるメディアである第２メディアに印刷して得られた第２印刷物との光学物性値を取得する第１取得部と、前記第１印刷物に被覆させる第１保護膜と、前記第１保護膜と同一の又は異なる保護膜であって前記第２印刷物に被覆させる保護膜である第２保護膜との光学物性値を取得する第２取得部と、前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得部と、前記第１取得部により取得された前記第１印刷物の光学物性値と、前記第２取得部により取得された前記第１保護膜の光学物性値と、前記第３取得部により取得された前記第１光源の分光分布とに基づいて前記第１保護膜付印刷物に対応する第１プロファイルを生成するとともに、前記第１取得部により取得された前記第２印刷物の光学物性値と、前記第２取得部により取得された前記第２保護膜の光学物性値と、前記第３取得部により取得された前記第２光源の分光分布とに基づいて前記第２保護膜付印刷物に対応する第２プロファイルを生成するプロファイル生成部と、前記プロファイル生成部により生成された前記第１プロファイルを入力側プロファイルとして用い、前記プロファイル生成部により生成された前記第２プロファイルを出力側プロファイルとして用いて、前記第１印刷物の画像を表す画像データを前記第２印刷物の画像を表す画像データに色変換する色変換処理部とを有することを特徴とする。
【００２３】
本発明に係るプログラムは、第１メディアに印刷して得られた第１印刷物と、前記第１メディアと同一の又は異なるメディアである第２メディアに印刷して得られた第２印刷物との光学物性値を取得する手段、前記第２印刷物に被覆させる保護膜である第２保護膜の光学物性値を取得する手段、前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する手段、前記第１印刷物の光学物性値と、前記第１光源の分光分布とに基づいて前記第１印刷物に対応する第１プロファイルを生成する手段、前記第２印刷物及び前記第２保護膜の光学物性値並びに前記第２光源の分光分布に基づいて前記第２保護膜付印刷物に対応する第２プロファイルを生成する手段、生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する手段として機能させることを特徴とする。
【００２４】
本発明に係るプログラムは、コンピュータに、第１メディアに印刷して得られた第１印刷物と、前記第１メディアと同一の又は異なるメディアである第２メディアに印刷して得られた第２印刷物との光学物性値を取得する手段、前記第１印刷物に被覆させる第１保護膜と、前記第１保護膜と同一の又は異なる保護膜であって前記第２印刷物に被覆させる保護膜である第２保護膜との光学物性値を取得する手段、前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する手段、取得された前記第１印刷物及び前記第１保護膜の光学物性値並びに前記第１光源の分光分布に基づいて前記第１保護膜付印刷物に対応する第１プロファイルを生成する手段、取得された前記第２印刷物及び前記第２保護膜の光学物性値並びに前記第２光源の分光分布に基づいて前記第２保護膜付印刷物に対応する第２プロファイルを生成する手段、生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する手段として機能させることを特徴とする。
【発明の効果】
【００２５】
本発明に係る色変換方法、色変換装置及びプログラムによれば、第１メディアに印刷して得られた第１印刷物と、前記第１メディアと同一の又は異なるメディアである第２メディアに印刷して得られた第２印刷物との光学物性値を取得し、前記第１印刷物に被覆させる第１保護膜（被覆させない場合を含む。）と、前記第１保護膜と同一の又は異なる保護膜であって前記第２印刷物に被覆させる保護膜である第２保護膜との光学物性値を取得し、前記第１印刷物に前記第１保護膜を被覆させて得られた第１保護膜付印刷物（第１保護膜を被覆させない場合は、第１印刷物）の観察光源である第１光源と、前記第１光源と同一の又は異なる観察光源であって前記第２印刷物に前記第２保護膜を被覆させて得られた第２保護膜付印刷物の観察光源である第２光源との分光分布を取得し、取得された前記第１印刷物及び前記第１保護膜の光学物性値（第１保護膜を被覆させる場合に限る。）並びに前記第１光源の分光分布に基づいて前記第１保護膜付印刷物に対応する第１プロファイルを生成し、取得された前記第２印刷物及び前記第２保護膜の光学物性値並びに前記第２光源の分光分布に基づいて前記第２保護膜付印刷物に対応する第２プロファイルを生成し、生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換するようにしたので、第１印刷物（第１保護膜付印刷物）を形成するために適切なカラー画像データをそのまま用いて、様々な印刷色再現条件下に応じた第２保護膜付印刷物の色再現を適切に行うことができる。これにより、これにより、印刷条件・観察環境の組合せを変更する都度に色の微調整を行う必要がなくなり、色調整作業に要する工数を大幅に低減することができる。
【図面の簡単な説明】
【００２６】
【図１】本実施形態に係る色変換装置が組み込まれた印刷システムの斜視説明図である。
【図２】図２Ａ及び図２Ｂは、所定の観察場所において観察者が印刷物又は保護膜付印刷物を観察する状態を表す概略斜視図である。
【図３】本実施形態に係るカラーチャートの概略正面図である。
【図４】本実施形態に係る色変換装置の機能ブロック図である。
【図５】図４に示すプロファイル生成部の機能ブロック図である。
【図６】図５に示す測色値算出部の機能ブロック図である。
【図７】色変換処理条件の設定画面の一例を示す図である。
【図８】本実施形態に係る印刷システムを用いて、適切に色調整された印刷物又は保護膜付印刷物を得るためのフローチャートである。
【図９】図８に示す第２印刷物の印刷条件・観察態様を設定する方法に関するフローチャートである。
【図１０】ラミネートフイルムの光学物性値を推定するために作製された測定試料の概略断面図である。
【図１１】図１１Ａ〜図１１Ｃは、黒点補正によるガマット変換過程を説明する図である。
【図１２】図１２Ａ及び図１２Ｂは、ラミネートフイルムの種類の設定に応じて黒点補正の表示状態の変化を説明する図である。
【発明を実施するための形態】
【００２７】
以下、本発明に係る色変換方法についてそれを実施する色変換装置並びに印刷システムとの関係において好適な実施形態を挙げ、添付の図面を参照しながら詳細に説明する。
【００２８】
図１は、本実施形態に係る色変換装置としての画像処理装置１６が組み込まれた印刷システム１０の斜視説明図である。
【００２９】
印刷システム１０は、ＬＡＮ１２と、編集装置１４と、色変換装置としての画像処理装置１６と、印刷機１８と、ラミネート処理装置２０と、第１及び第２取得部としての測色計２２とを基本的に備える。
【００３０】
ＬＡＮ１２は、イーサネット（登録商標）等の通信規格に基づいて構築されているネットワークである。編集装置１４と、画像処理装置１６と、データベースＤＢとは、前記ＬＡＮ１２を介して有線又は無線により相互に接続されている。
【００３１】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００３２】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３３】
また、編集装置１４には図示しないカラースキャナが接続されており、該カラースキャナは、所定の位置にセットされたカラー原稿を光学的に読み取ることで、前記電子原稿の構成要素となるカラー画像データを取得可能である。
【００３４】
画像処理装置１６は、後述のように、ＰＤＬによる電子原稿をビットマップ形式（ラスタ画像の一種）に展開し、所望の画像処理、例えば、色変換処理、画像拡縮処理や配置処理等を行い、印刷機１８の印刷方式に適した印刷信号に変換し、前記印刷機１８に前記印刷信号を送信する各機能を有している。
【００３５】
また、画像処理装置１６は、ＣＰＵ・メモリ等を有する本体２４と、カラー画像を表示する表示装置２６と、入力部としての入力装置２８（キーボード３０及びマウス３２）を備えている。さらに、画像処理装置１６には、電子データの記録・消去が自在な可搬型メモリ３４や測色計２２が接続されている。
【００３６】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷信号に基づいて各色のインクの射出制御を行うことにより、印刷媒体としてのメディア３６（図１では、ロール状の未印刷のメディア３６）上にカラー画像を印刷し、印刷物３８（印刷物３８の一種であるカラーチャート３８ｃが含まれる。）を形成する。
【００３７】
ラミネート処理装置２０は、印刷物３８の画像形成面上に、必要に応じて更にその裏面に、保護膜としてのラミネートフイルム４０を貼付させた状態で、図示しない加熱ローラを用いて加熱・加圧処理を施すことにより、印刷物３８の画像形成面が保護された保護膜付印刷物４２を形成する。
【００３８】
メディア３６の基材には、合成紙・厚紙・アルミ蒸着紙等の紙類、塩化ビニル・ＰＥＴ等の樹脂やターポリン等を用いることができる。保護膜には、ラミネートフイルム４０に限られず、液体、ニス、透明インク、クリアトナー、並びにアクリル板等の保護板等を用いることができる。
【００３９】
測色計２２は、測定対象物の色値を測定する。ここで色値とは、三刺激値ＸＹＺ、均等色空間の座標値Ｌ*ａ*ｂ*等のみならず、波長に対する光学物性値の分布（以下、「分光データ」という。）、例えば、分光放射分布（分光分布）、分光感度分布、分光反射率又は分光透過率が含まれる。また、測色計２２を用いた測色により得られた色値を「測色値」という場合がある。
【００４０】
図２Ａ及び図２Ｂは、所定の場所において観察者Ｏｂｓが印刷物３８又は保護膜付印刷物４２を観察する状態を表す概略説明図である。
【００４１】
図２Ａは、印刷場所（印刷システム１０の設置場所）での光源ＰＳ下において、観察者Ｏｂｓが印刷物３８を観察する状態を表している。ここで、印刷物３８の代わりに、ラミネートフイルム４０を被覆した保護膜付印刷物４２であってもよい。
【００４２】
以下、印刷場所での観察であることを明示するため、図２Ａに示す光源ＰＳ下で色調整が行われる印刷物３８（又は保護膜付印刷物４２）を第１印刷物３８ａ（又は第１保護膜付印刷物４２ａ）といい、第１保護膜付印刷物４２ａを形成するためのメディア３６、ラミネートフイルム４０をそれぞれ第１メディア３６ａ、第１ラミネートフイルム４０ａという。また、第１印刷物３８ａ及び第１保護膜付印刷物４２ａを総称して「第１印刷物３８ａ等」という場合がある。
【００４３】
図２Ｂは、掲示場所での光源ＤＳ下において、観察者Ｏｂｓが保護膜付印刷物４２を観察する状態を表している。ここで、保護膜付印刷物４２の代わりに、ラミネートフイルム４０を被覆しない印刷物３８であってもよい。
【００４４】
以下、掲示場所での観察であることを明示するため、図２Ｂに示す光源ＤＳ下で色調整が行われる保護膜付印刷物４２（又は印刷物３８）を第２保護膜付印刷物４２ｂ（又は第２印刷物３８ｂ）といい、第２保護膜付印刷物４２ｂを形成するためのメディア３６、ラミネートフイルム４０をそれぞれ第２メディア３６ｂ、第２ラミネートフイルム４０ｂという。また、第２印刷物３８ｂ及び第２保護膜付印刷物４２ｂを総称して「第２印刷物３８ｂ等」という場合がある。
【００４５】
なお、掲示場所での光源ＤＳは、印刷場所での光源ＰＳと同一の又は異なる光源である。また、第２メディア３６ｂは第１メディア３６ａと同一の又は異なるメディア３６であり、第２ラミネートフイルム４０ｂは第１ラミネートフイルム４０ａと同一の又は異なるラミネートフイルム４０である。さらに、第２印刷物３８ｂは第１印刷物３８ａと同一の又は異なる印刷物３８であり、第２保護膜付印刷物４２ｂは第１保護膜付印刷物４２ａと同一の又は異なる保護膜付印刷物４２である。
【００４６】
図３は、本実施形態に係るカラーチャート３８ｃの概略正面図である。
【００４７】
カラーチャート３８ｃは、メディア３６上に印刷された、色の異なる１００個の略同形状のカラーパッチ４４と、該カラーパッチ４４の行方向及び列方向の配列位置を特定する数字列４６及びアルファベット文字列４８と、前記カラーチャート３８ｃの印刷条件を識別する情報からなる印刷情報５０とから構成される。
【００４８】
各カラーパッチ４４は、縦方向には１０個のカラーパッチ４４が隙間なく配置され、横方向には１０個のカラーパッチ４４が所定間隔の隙間を設けながら配置されている。各カラーパッチ４４の色は、ＣＭＹＫ値の各信号レベルの範囲（百分率では０％〜１００％、８ビット階調である場合は０〜２５５）の所定の値が設定されている。
【００４９】
数字列４６は、上から順に（０１）〜（１０）の文字列として、各カラーパッチ４４の左方部にその位置に対応するように設けられている。一方、アルファベット文字列４８は、左から順番に（Ａ）〜（Ｊ）の文字列として、各カラーパッチ４４の上方部にその位置に対応するように設けられている。
【００５０】
印刷情報５０には、印刷機１８の機種、シリアル番号若しくは登録名、後述する印刷モード、メディア３６の種類、印刷日時等が印刷されている。
【００５１】
図４は、本実施形態に係る色変換装置としての画像処理装置１６の機能ブロック図である。なお、電子原稿は白抜実線矢印の方向に、カラーチャート３８ｃ用の画像データは白抜破線矢印の方向に、その他の各種データは実線矢印の方向にそれぞれ供給されることを表す。
【００５２】
画像処理装置１６の本体２４は、編集装置１４側から供給される電子原稿を入力するＩ／Ｆ５２と、該Ｉ／Ｆ５２を介して供給された電子原稿のＰＤＬ形式をビットマップ形式に展開するＲＩＰ５４（ラスタイメージングプロセッサ）と、該ＲＩＰ５４により展開された電子原稿のＣＭＹＫ値（あるいはＲＧＢ値）に対して所定の色変換処理を施して新たなＣＭＹＫ値の画像データを得る色変換処理部５６と、該色変換処理部５６により色変換されて得られた新たなＣＭＹＫ値の画像データを印刷機１８に適した印刷信号（インク射出制御データ）に変換する印刷機ドライバ５８と、該印刷機ドライバ５８により変換された印刷信号を印刷機１８側に出力するＩ／Ｆ６０とを備える。
【００５３】
また、本体２４は、印刷機１８毎にプロファイルを生成するプロファイル生成部６２と、プロファイルが備える色変換ＬＵＴに対して後述する黒点補正を行う黒点補正処理部６４と、カラーチャート３８ｃを印刷するための画像データを生成する画像データ生成部６６と、ラミネートフイルム４０の光学物性値を推定する光学物性値推定部６８と、ＧＵＩに画像を表示する制御を行うＧＵＩ画像表示制御部７０と、表示装置２６との接続を可能とするＩ／Ｆ７２と、入力装置２８（キーボード３０及びマウス３２）との接続を可能とするＩ／Ｆ７４と、測色計２２との接続を可能とするＩ／Ｆ７６と、可搬型メモリ３４との接続を可能とするＩ／Ｆ７８とを備える。
【００５４】
さらに、本体２４は、その内部の各構成要素から供給される各種データを記憶し、あるいは記憶している各種データを各構成要素に供給する記憶部８０を備えている。該記憶部８０は、ＲＩＰ５４と、色変換処理部５６と、プロファイル生成部６２と、黒点補正処理部６４と、画像データ生成部６６と、光学物性値推定部６８と、Ｉ／Ｆ７２と、Ｉ／Ｆ７４と、Ｉ／Ｆ７６と、Ｉ／Ｆ７８とにそれぞれ接続されている。
【００５５】
なお、色変換処理部５６は、デバイス依存データからデバイス非依存データに変換する入力側プロファイル処理部８２と、デバイス非依存データからデバイス依存データに変換する出力側プロファイル処理部８４とを備える。ここで、デバイス依存データとは、各種デバイスを適切に駆動するためのＣＭＹＫ値、ＲＧＢ値等で定義されるデータである。また、デバイス非依存データとは、ＨＳＶ（Ｈｕｅ−Ｓａｔｕｒａｔｉｏｎ−Ｖａｌｕｅ）、ＨＬＳ（Ｈｕｅ−Ｌｉｇｈｔｎｅｓｓ−Ｓａｔｕｒａｔｉｏｎ）、ＣＩＥＬＡＢ、ＣＩＥＬＵＶ、ＸＹＺ等の表色系で定義されるデータである。
【００５６】
なお、ＲＩＰ５４は、電子原稿のビットマップ形式化の際に、印刷機１８の解像度等に対応した画像拡縮処理や、印刷フォーマットに対応した回転・反転処理等の種々の画像処理を行うことができる。
【００５７】
また、印刷機ドライバ５８は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００５８】
さらに、入力側プロファイル処理部８２又は出力側プロファイル処理部８４は、印刷機１８の印刷モードに応じてプロファイルを補正することができる。ここで、印刷モードとは、印刷ヘッドのノズル数、印刷ヘッドの走査時におけるインク射出タイミング（片方向／双方向）、パス数、搭載インク色数及びその種類、インク射出制御用データ作成のアルゴリズム等の、印刷に関する各種設定をいう。
【００５９】
さらに、ＣＰＵ等で構成される図示しない制御部は、この画像処理に関するすべての制御を行う。すなわち、本体２４内部の各構成要素の制御（例えば、記憶部８０のデータ読出し・書込み）のみならず、Ｉ／Ｆ７６を介して測色計２２から測色データを取得する制御等も含まれる。
【００６０】
本実施形態に係る画像処理装置１６は以上のように構成され、上述した各画像処理機能は、基本プログラム（オペレーティングシステム）上で動作する応用プログラムを用いて実現することができる。
【００６１】
図５は、図４に示すプロファイル生成部６２の機能ブロック図である。
【００６２】
プロファイル生成部６２は、データ選択部８６と、測色値算出部８８と、ＬＵＴ生成部９０とから基本的に構成される。
【００６３】
データ選択部８６は、記憶部８０から読み出された、設定データ１００と、メディアの分光データ群１０２と、ラミネートフイルムの分光データ群１０４と、観察光源の分光データ群１０６とに基づいて、プロファイル生成条件におけるメディアの分光データ（以下、第１の分光データ１１２という。）、ラミネートフイルムの分光データ（以下、第２の分光データ１１４という。）、及び観察光源の分光データ（以下、第３の分光データ１１６という。）を選択する。ここで、設定データ１００は、作業者により設定されるメディア３６、ラミネートフイルム４０及び光源ＤＳ（又は光源ＰＳ）の種類であり、プロファイル生成条件に関する設定データである。
【００６４】
測色値算出部８８は、データ選択部８６により選択された第１、第２及び第３の分光データ１１２、１１４及び１１６に基づいて、プロファイル生成条件における測色値データ１２０を算出する。
【００６５】
ＬＵＴ生成部９０は、測色値算出部８８により算出された測色値データ１２０と、各カラーパッチ４４（図３参照）に対応するＣＭＹＫ値データ１２２とに基づいて、プロファイル生成条件における色変換ＬＵＴ１２４を生成する。
【００６６】
本実施形態では、１００個のカラーパッチ４４（パッチ番号は０〜９９）に対するそれぞれの分光データが設けられており、光波長はλ1〜λ41である４１点のデータを有している。例えば、λ1＝４００ｎｍ、……、λ41＝８００ｎｍの１０ｎｍ間隔とすることができる。
【００６７】
図６は、本実施形態に係る測色値算出部８８の機能ブロック図である。
【００６８】
測色値算出部８８は、反射率・透過率予測部８８ａと、Ｌａｂ演算部８８ｂとから基本的に構成される。
【００６９】
反射率・透過率予測部８８ａは、データ選択部８６から供給された第１及び第２の分光データ１１２、１１４に基づいて、メディア３６の種類に応じた数理モデルを適用して保護膜付印刷物４２の分光反射率又は分光透過率（以下、第４の分光データ１１８という。）を予測する。
【００７０】
以下、印刷物３８とプロファイルとの対応関係を明示するため、第１印刷物３８ａ等に対応するプロファイル（以下、「第１プロファイル」という。）を生成するための各設定データを、第１、第２、第３及び第４の分光データ１１２、１１４、１１６、及び１１８といい、第２印刷物３８ｂ等に対応するプロファイル（以下、「第２プロファイル」という。）を生成するための各設定データを、第１、第２、第３及び第４の分光データ２１２、２１４、２１６、及び２１８という場合がある。
【００７１】
ここで、メディア３６が反射メディアである場合は、第１の分光データ１１２はメディア３６の分光反射率であり、第２の分光データ１１４は、ラミネートフイルム４０の各光波長に対する固有反射率、散乱係数、吸収係数（光学物性値）である。また、メディア３６が透過メディアである場合は、第１の分光データ１１２はメディア３６の分光透過率であり、第２の分光データ１１４は、ラミネートフイルム４０の分光透過率（光学物性値）である。
【００７２】
Ｌａｂ演算部８８ｂは、データ選択部８６から供給された第３の分光データ１１６と、反射率・透過率予測部８８ａにより予測された第４の分光データ１１８と、図示しない等色関数（標準的な観測者の視覚特性を考慮した分光データ）とに基づいて、プロファイル生成条件における測色値データ１２０を算出する。
【００７３】
図７は、色変換処理条件の設定画面の一例を示す図である。
【００７４】
設定画面１３０には、上方から下方に順番に、３個のプルダウンメニュー１３２、１３４、１３６と、３個のプルダウンメニュー１３８、１４０、１４２と、テキストボックス１４４ａ及び［開く］と表示されたボタン１４４ｂと、テキストボックス１４６ａ及び［開く］と表示されたボタン１４６ｂと、チェックボックス１４８と、［変換］、［中止］と表示されたボタン１５０、１５２とが設けられている。
【００７５】
設定画面１３０の左上部に位置するプルダウンメニュー１３２、１３４、１３６は上下方向に並設されており、欄には「塩ビＡ」、「なし」、「Ｄ５０」とそれぞれ表示されている。また、プルダウンメニュー１３８、１４０、１４２は、プルダウンメニュー１３２、１３４、１３６の右方（設定画面１３０の右上部）にそれぞれ設けられており、欄には「塩ビＢ」、「グロスＢ」、「Ｆ８」とそれぞれ表示されている。
【００７６】
プルダウンメニュー１３２、１３４、１３６の左方には「メディア」、「ラミネート」、「光源」とそれぞれ表示されるとともに、プルダウンメニュー１３２、１３８の上方には「印刷場所」、「掲示場所」とそれぞれ表示されている。
【００７７】
設定画面１３０の中央左下部に位置するテキストボックス１４４ａとボタン１４４ｂは左右方向に隣接して設けられている。テキストボックス１４４ａの欄には「ＯｒｇＩｍａｇｅ．ｐｄｆ」からなる文字が表示されるとともに、その上方には「元画像」と表示されている。
【００７８】
設定画面１３０の中央右下部に位置するテキストボックス１４６ａとボタン１４６ｂは左右方向に隣接して設けられている。テキストボックス１４６ａの欄には「ＮｅｗＩｍａｇｅ．ｐｄｆ」からなる文字が表示されるとともに、その上方には「変換後画像」と表示されている。
【００７９】
チェックボックス１４８には、マウス３２（図１参照）のクリック動作によってチェックマークの付加・削除が自在である。また、チェックボックス１４８の右方には「黒点補正」からなる文字が表示されている。
【００８０】
本実施形態に係る印刷システム１０は、基本的には以上のように構成されるものであり、次にその動作について説明する。
【００８１】
図８は、本実施形態に係る印刷システム１０を用いて、適切に色調整された印刷物３８又は保護膜付印刷物４２を得るためのフローチャートである。主に図１を参照しながら説明する。
【００８２】
先ず、作業者は、形成しようとする第１印刷物３８ａ等に関する印刷条件やその観察態様を調査する（ステップＳ１）。ここで、印刷条件とは、印刷に使用する印刷機１８の種類、第１メディア３６ａの種類、第１ラミネートフイルム４０ａの種類や前述した印刷モード等である。また、観察態様とは、光源ＰＳの分光データや第１印刷物３８ａ等の掲示態様（反射、透過、又はその混合）等である。
【００８３】
印刷条件や観察態様に関しては、作業者にとって色調整作業の効率が向上するように標準的な各種条件を選択する。具体的には、入手容易なメディア３６や標準光源である「Ｄ５０光源」を用いるとともに、ラミネートフイルム４０を被覆しないように選択してもよい。
【００８４】
次いで、作業者は、印刷機１８に適切な印刷プロファイル、すなわち第１プロファイルを生成する（ステップＳ２）。印刷機１８に適切なプロファイルが登録（記憶部８０に記憶）されていない場合は、第１プロファイルを別途生成することができる。なお、第１プロファイルの生成方法は、後述するステップＳ９における第２プロファイルの生成方法と同様であるため、後に詳細に説明する。
【００８５】
次いで、作業者は、印刷機１８を用いて電子原稿を印刷して第１印刷物３８ａを得る（ステップＳ３）。ここで、電子原稿の印刷の際の、画像処理装置１６による画像処理の流れについて、図４を参照しながら詳細に説明する。
【００８６】
編集装置１４から供給された電子原稿（ＰＤＬ形式）が、ＬＡＮ１２及びＩ／Ｆ５２を介して画像処理装置１６に入力されると、前記電子原稿は、ＲＩＰ５４によりそれぞれ８ビットのＣＭＹＫビットマップ形式（デバイス依存の画像データ）に展開され、入力側プロファイル処理部８２によりＬ*ａ*ｂ*（デバイス非依存の画像データ）に変換され、出力側プロファイル処理部８４によりＣＭＹＫ値（デバイス依存の画像データ）に変換され、印刷機ドライバ５８により印刷信号（すなわち、インク射出制御データ）に変換され、Ｉ／Ｆ６０を介して印刷機１８に供給される。その後、印刷機１８により所望の第１印刷物３８ａが印刷される。
【００８７】
このとき、複数の設定条件に対応する目標プロファイル及び第１プロファイルが予め記憶部８０に記憶されているので、予め設定された各種条件に応じて選択的に目標プロファイル及び第１プロファイルが入力側プロファイル処理部８２及び出力側プロファイル処理部８４に供給される。
【００８８】
次いで、印刷機１８により得られた第１印刷物３８ａに対してラミネート処理を施す（ステップＳ４）。
【００８９】
具体的には、第１印刷物３８ａの画像形成面上に（必要に応じて更にその裏面に）第１ラミネートフイルム４０ａを貼付させた状態で、ラミネート処理装置２０が備える図示しない加熱ローラを用いて加熱・加圧処理を施すことにより第１保護膜付印刷物４２ａを得る。これにより、画像の擦過性・堅牢性を向上させることができる。なお、第１印刷物３８ａに第１ラミネートフイルム４０ａを被覆させない場合は、ステップＳ４を省略できることはいうまでもない。
【００９０】
次いで、第１印刷物３８ａ等のカラー画像の色を評価し（ステップＳ５）、画像の色が適切か否かを判断する（ステップＳ６）。所望の色合いが得られたか否かについての評価方法としては、画像の全体的外観又は部分的外観に着目し、作業者等の目視により良否を判断する方法、あるいは、測色計２２を用いて第１印刷物３８ａ等の所定の箇所を測色し、その値が所望の範囲内に収まるか否かで判断する方法等が使用される。
【００９１】
この画像評価の結果、第１印刷物３８ａ等の画像の色が適切でないと判断された場合は、電子原稿の色値を補正することにより色の微調整を行う（ステップＳ７）。
【００９２】
以下、印刷と評価を繰り返すことにより（ステップＳ３〜Ｓ７）、所望の色の第１印刷物３８ａ等が得られる。
【００９３】
次いで、第１印刷物３８ａ等を得るために用いた、必要に応じて色値を補正した電子原稿のデータと、印刷プロファイルとしての第１プロファイルとを保存する（ステップＳ８）。この電子原稿及び第１プロファイルは、画像処理装置１６の記憶部８０に保存してもよいし、その外部装置である編集装置１４やデータベースＤＢ側に保存してもよい。
【００９４】
次いで、作業者は、形成しようとする第２印刷物３８ｂ等に関する印刷条件やその観察態様を設定する（ステップＳ９）。この設定方法について、図９に示すフローチャートを参照しながら詳細に説明する。
【００９５】
先ず、作業者は、印刷に用いられるメディア３６、すなわち、第１及び第２メディア３６ａ、３６ｂの種類が登録されているか否かを確認する（ステップＳ９１）。
【００９６】
もし、登録されていなければ、その第１及び第２メディア３６ａ、３６ｂの分光データを取得する（ステップＳ９２）。一例として、作業者は、分光データが格納された可搬型メモリ３４を準備し、画像処理装置１６の本体２４に接続する。そうすると、自動又は手動により分光データが新たに記憶部８０に記憶される。また、データベースＤＢ（図１参照）に分光データを管理させておき、必要に応じて該データベースＤＢから所望の分光データを取得できる構成であってもよい。
【００９７】
さらに、本体２４に接続された測色計２２を用いて、第１及び第２メディア３６ａ、３６ｂの分光データを直接取得することができる。この方法について、主に図４を参照しながら説明する。
【００９８】
作業者は、表示装置２６に表示された図示しない設定画面上からカラーチャート３８ｃの印刷の要求を行う。すると、本体２４の画像データ生成部６６によりカラーチャート３８ｃを印刷するための画像データ（ＣＭＹＫ値）が生成され、印刷機ドライバ５８に供給され、電子原稿の印刷と同様の動作により印刷機１８側に供給される。このように、カラーチャート３８ｃ（図３参照）が印刷される。
【００９９】
なお、各カラーパッチ４４の画素値に対応するＣＭＹＫ値データ１２２（図５参照）は、予め記憶部８０に記憶されており、画像データの生成の際に前記記憶部８０から読み出される。
【０１００】
作業者は、ラミネート処理装置２０（図１参照）によるラミネート処理を行わずに、画像処理装置１６に接続された測色計２２を用いて、カラーチャート３８ｃ（図３参照）の各カラーパッチ４４の分光データを測定する。例えば、図３のように、数字列４６及びアルファベット文字列４８で示される（Ａ）列の（０１）〜（１０）、（Ｂ）列の（０１）〜（１０）のように、各カラーパッチ４４を測色する順番を予め決定しておくことが好ましい。作業者による測色完了の通知に基づいて、各カラーパッチ４４に対応する分光データが、Ｉ／Ｆ７６を介して、メディア３６の種類を関連付けて記憶部８０に保存される（図４参照）。
【０１０１】
この分光データを保存した後、図７に示すプルダウンメニュー１３２、１３８の図示しない選択欄から新たなメディア３６の種類として選択できるようになる。なお、本図では、第１メディア３６ａには［塩ビＡ］（ここで、「塩ビ」は塩化ビニル（ＰＶＣ）を意味する。）が設定され、第２メディア３６ｂには［塩ビＢ］が設定されている。
【０１０２】
このようにして、メディア３６の種類が設定される（ステップＳ９３）。
【０１０３】
次いで、作業者は、印刷物３８に設ける予定のラミネートフイルム４０、すなわち、第１及び第２ラミネートフイルム４０ａ、４０ｂの種類が登録されているか否かを確認する（ステップＳ９４）。もし、登録されていなければ、その第１及び第２ラミネートフイルム４０ａ、４０ｂの分光データを取得する（ステップＳ９５）。上述のように、分光データが格納された可搬型メモリ３４を用いることができる。また、光学物性値推定部６８（図４参照）により推定された第１及び第２ラミネートフイルム４０ａ、４０ｂの分光データを取得することもできる。
【０１０４】
この分光データを保存した後、図７に示すプルダウンメニュー１３４、１４０の図示しない選択欄から新たなラミネートフイルム４０の種類として選択できるようになる。なお、本図では、第１ラミネートフイルム４０ａには［なし］（ここで、「なし」は第１印刷物３８ａに第１ラミネートフイルム４０ａを被覆しないことを意味する。）が設定され、第２ラミネートフイルム４０ｂには［グロスＢ］（ここで、「グロス」（ＧＬＯＳＳ）は高光沢フイルムを意味する。）が設定されている。
【０１０５】
このようにして、ラミネートフイルム４０の種類が設定される（ステップＳ９６）。
【０１０６】
次いで、作業者は、観察下の光源ＤＳ（又は光源ＰＳ）の種類が登録されているか否かを確認する（ステップＳ９７）。もし、登録されていなければ、その光源ＤＳ又は光源ＰＳの分光データを取得する（ステップＳ９８）。上述のように、分光データが格納された可搬型メモリ３４やデータベースＤＢを用いることができる。また、図示しない非接触測色計（第３取得部）を白色基準板に指向させ、あるいは光源に指向して測定を行うことにより、光源ＤＳ又は光源ＰＳの分光データを直接的に取得してもよい。
【０１０７】
この分光データを保存した後、図７に示すプルダウンメニュー１３６、１４２の図示しない選択欄から新たな光源ＤＳ又はＰＳの種類として選択できるようになる。なお、本図では、印刷場所の光源ＰＳには［Ｄ５０］（光源）が設定され、掲示場所での光源ＤＳには［Ｆ８］（光源）が設定されている。
【０１０８】
このようにして、観察下の光源ＤＳ又は光源ＰＳの種類が設定される（ステップＳ９９）。
【０１０９】
最後に、ステップＳ９３で設定されたメディア３６の種類と、ステップＳ９６で設定されたラミネートフイルム４０の種類と、ステップＳ９９で設定された光源ＤＳ又は光源ＰＳの種類とからなる各々のプロファイル生成条件を保存する（ステップＳ１００）。
【０１１０】
作業者は、図７において、ステップＳ８（図８参照）で保存した電子原稿を「元画像」として、新たに生成される電子原稿を「変換後画像」として、各ファイル名（ディレクトリ名を含む。）をテキストボックス１４４ａ、１４６ａに入力する。［開く］ボタン１４４ｂ、１４６ｂの押下により、図示しないウィンドウ画面が表示され、作業者はＧＵＩ操作に従ってファイル名を入力できる。作業者は、設定画面１３０の各項目の入力作業が完了した後に［変換］ボタン１５０を押下する。そうすると、各種設定が設定データ１００（図５参照）として記憶部８０に自動的に格納される。
【０１１１】
ここで、設定データ１００には、プルダウンメニュー１３２（１３８）により設定された第１メディア３６ａ（第２メディア３６ｂ）の種類、プルダウンメニュー１３４（１４０）により設定された第１ラミネートフイルム４０ａ（第２ラミネートフイルム４０ｂ）の種類、プルダウンメニュー１３４（１４０）により設定された光源ＰＳ（光源ＤＳ）の種類に関するデータが含まれる。
【０１１２】
次いで、図８に戻って、第２プロファイルを生成する（ステップＳ１０）。設定データ１００は記憶部８０により一旦記憶された後にプロファイル生成部６２に供給され、該プロファイル生成部６２により第２プロファイルが自動的に生成される。
【０１１３】
以下、第２プロファイルの生成アルゴリズムについて、図５及び図６を参照しながら詳細に説明する。上述したように、プロファイル生成部６２により、第２プロファイルのみならず、第１プロファイルも同様に生成することができる。以下、便宜のため、各構成要素につき、第１プロファイルに係る参照符号を用いて説明する。
【０１１４】
図５に示すように、記憶部８０から供給された設定データ１００、メディアの分光データ群１０２、ラミネートフイルムの分光データ群１０４及び観察光源の分光データ群１０６の中から、設定データ１００と対応付けられた第１、第２及び第３の分光データ１１２、１１４、及び１１６がデータ選択部８６により選択される。
【０１１５】
さらに、図６に示すように、測色値算出部８８の一部を構成する反射率・透過率予測部８８ａにより、第１及び第２の分光データ１１２、１１４に基づいて、所定の数理モデルを適用して第４の分光データ１１８（すなわち、保護膜付印刷物４２の分光反射率）が予測される。
【０１１６】
メディア３６が反射メディアである場合、クベルカ・ムンク（以下、「Ｋｕｂｅｌｋａ−Ｍｕｎｋ」という。）モデルを適用することができる。具体的には、以下の（１）式に基づいて、保護膜付印刷物４２の分光反射率Ｒ（λ）が予測される。なお、各変数とも光波長毎の関数であるが、説明の便宜のため省略する。
Ｒ（λ）＝［（Ｒg−Ｒ∞）／Ｒ∞−Ｒ∞（Ｒg−１／Ｒ∞）ｅｘｐ｛Ｓｘ（１／Ｒ∞−Ｒ∞）｝］／［（Ｒg−Ｒ∞）−（Ｒg−１／Ｒ∞）ｅｘｐ｛Ｓｘ（１／Ｒ∞−Ｒ∞）｝］          …（１）
【０１１７】
ここで、［Ｒg］は印刷物３８単体の分光反射率（第１の分光データ１１２）、［Ｒ∞］はラミネートフイルム４０の分光固有反射率、［Ｓ］はラミネートフイルム４０の単位厚さ当たりの散乱係数、［ｘ］はラミネートフイルム４０の厚さを表す（“Ｎｅｗ  Ｃｏｎｔｒｉｂｕｔｉｏｎ  ｔｏ  ｔｈｅ  Ｏｐｔｉｃｓ  ｏｆ  Ｉｎｔｅｎｓｅｌｙ  Ｌｉｇｈｔ−Ｓｃａｔｔｅｒｉｎｇ  Ｍａｔｅｒｉａｌｓ．Ｐａｒｔ  Ｉ，ＪＯＵＲＮＡＬ  ＯＦ  ＴＨＥ  ＯＰＴＩＣＡＬ  ＳＯＣＩＥＴＹ  ＯＦ  ＡＭＥＲＩＣＡ，ＶＯＬＵＭＥ３８、ＮＵＭＢＥＲ５，ＰＰ，４４８−４５７，ＭＡＹ，１９４８  参照）。
【０１１８】
なお、ラミネートフイルム４０の光学物性値は、予め測定した数値を記憶部８０やデータベースＤＢに記憶させてもよいし、測色計２２を用いた測色結果に基づいて画像処理装置１６内部で推定してもよい。以下、ラミネートフイルム４０の光学物性値の推定方法について、具体的には、未知の変数であるＲ∞（固有反射率）及びＳｘ（散乱係数）を実験的に推定する方法を詳細に説明する。
【０１１９】
図１０は、ラミネートフイルム４０の光学物性値を推定するために作製された測定試料１６０の概略断面図である。
【０１２０】
測定試料１６０は、白色の不透明体からなる分光反射率Ｒｇ1の基材１６２と、黒色材１６４と、測定対象としてのラミネートフイルム４０とから構成される。
【０１２１】
作業者は、測色計２２を用いて測定試料１６０の各部位の分光反射率を測定する。その結果、基材１６２上にラミネートフイルム４０を被覆したときの分光反射率をＲ1、前記基材１６２上に黒色材１６４を設けたときの分光反射率をＲｇ2、前記基材１６２上に前記黒色材１６４を介してラミネートフイルム４０を被覆したときの分光反射率をＲ2（Ｒ1＞Ｒ2）とする測定値が得られたとする。
【０１２２】
この測定値は、図４に示す画像処理装置１６（本体２４）が備えるＩ／Ｆ７６を介して、記憶部８０に一旦記憶される。その後、光学物性値推定部６８に供給され、以下に示す数式にしたがって演算処理が行われる。
【０１２３】
ラミネートフイルム４０の固有反射率Ｒ∞は、数学的解析により、
Ｒ∞＝｛Ｃ−√（Ｃ2−４）｝／２          …（２）
Ｃ＝｛（Ｒ1＋Ｒｇ2）（Ｒ2・Ｒｇ1−１）−（Ｒ2＋Ｒｇ1）（Ｒ1・Ｒｇ2−１）｝／（Ｒ2・Ｒｇ1−Ｒ1・Ｒｇ2）          …（３）
として算出される（紙の特集：「たかが紙、されど紙、やはり紙」、“紙の特性と評価方法及び規格の動向” （２００４、日本画像学会誌１５０）  参照）。なお、Ｒ1＜Ｒ2の場合は（３）式の添字１及び２を逆にする。
【０１２４】
ここで、固有反射率Ｒ∞は、試料が無限の厚みを有すると仮定した場合の反射率である。したがって、同一種類のラミネートフイルム４０を多数枚重ねて形成することが可能である場合、固有反射率Ｒ∞を直接測定して求めてもよい。
【０１２５】
次いで、実測値Ｒn（ｎ＝１又は２）と、実測値Ｒｇn（ｎ＝１又は２）と、（２）式で算出したＲ∞とを用いて、ラミネートフイルム４０の散乱係数Ｓ及び厚さｘは、
Ｓ・ｘ＝ｌｎ［｛（Ｒ∞−Ｒｇn）（１／Ｒ∞−Ｒn）｝／｛（Ｒ∞−Ｒn）（１／Ｒ∞−Ｒｇn）｝］／（１／Ｒ∞−Ｒ∞）          …（４）
として算出できる（「色彩再現の基礎と応用技術」８８ページ（２１）式（トリケップス）参照）。
【０１２６】
ここで、Ｓは単位厚さ当たりの散乱係数であり、ｘはラミネートフイルム４０の厚さである。散乱係数の定義に関して、説明の便宜上、Ｓｘ（＝Ｓ・ｘ）を膜厚ｘでの散乱係数（つまり、１つの変数）として定義するが、Ｓ、Ｓｘのいずれを用いてもよい。また、吸収係数Ｋも同様である。
【０１２７】
このように、基材１６２、黒色材１６４、及びラミネートフイルム４０を組み合わせた測定試料１６０を用いて、ラミネートフイルム４０の光学物性値（固有反射率Ｒ∞及び散乱係数Ｓｘ）を推定することができる。
【０１２８】
一方、メディア３６が透過メディアである場合、メディア３６とラミネートフイルム４０との分光透過率の乗算により、保護膜付印刷物４２の分光透過率を精度良く推定できる。
【０１２９】
図６に戻って、Ｌａｂ演算部８８ｂにより、第３の分光データ１１６及び第４の分光データ１１８に基づいて、プロファイル生成条件における測色値データ１２０が算出される。ここで、プロファイル生成条件における測色値データ１２０は、実測データに基づいて推定された、光源ＤＳの下で保護膜付印刷物４２を観察する場合におけるＬ*ａ*ｂ*である。
【０１３０】
具体的には、各カラーパッチ４４の三刺激値ＸＹＺは、光源ＤＳの分光放射分布と、保護膜付印刷物４２の分光反射率（又は分光透過率）と、等色関数とを乗算し、可視光波長の範囲内で積分した値に相当する。この三刺激値ＸＹＺと所定の演算式に基づいて、測色値データ１２０としての各カラーパッチ４４のＬ*ａ*ｂ*が算出される。本実施形態では、１００個のカラーパッチ４４をそれぞれ測定したので、１００組のＬ*ａ*ｂ*が得られる。
【０１３１】
そして、図５に示すＬＵＴ生成部９０により、１００組の測色値データ（Ｌ*ａ*ｂ*）１２０及び１００組のＣＭＹＫ値データ１２２との対応関係に基づいて印刷プロファイルとしての３次元データ（Ｌ*ａ*ｂ*）を４次元データ（ＣＭＹＫ）に変換する色変換ＬＵＴ１２４を生成することができる。
【０１３２】
つまり、保護膜付印刷物４２の分光反射率（又は分光透過率）に基づいて色変換テーブルの各格子点に対応する各分光反射率（又は分光透過率）が決定され、該各分光反射率（又は分光透過率）に基づいて保護膜付印刷物４２のプロファイルが生成される。
【０１３３】
このように構成しているので、メディア３６、ラミネートフイルム４０及び光源ＤＳの単体の分光データを一度取得すれば、保護膜付印刷物４２その物を形成することなく印刷プロファイルを推定できる。これにより、プロファイル生成のための一連の作業の回数を低減することができる。この一連の作業とは、印刷機１８によるカラーチャート３８ｃの印刷（待ち時間を含む。）、ラミネート処理装置２０によるラミネート処理、測色計２２による測色である。
【０１３４】
このようにして、第２プロファイルを生成する（ステップＳ１０）。
【０１３５】
次いで、電子原稿の印刷を行う（ステップＳ１１）。画像処理装置１６による画像処理の流れは既に述べた通りであるから、その説明は割愛する（ステップＳ３を参照）。しかしながら、電子原稿としてステップＳ８で保存した第１印刷物３８ａ等の印刷に適切である電子原稿を用い、色変換処理部５６（図４参照）側に供給される入力側プロファイルとして第１プロファイルを用い、出力側プロファイルとして第２プロファイルを用いて色変換を行う点が、ステップＳ３の場合と異なる。
【０１３６】
このように、第１印刷物３８ａ等に適切な第１プロファイルを入力側プロファイルとして用い、第２印刷物３８ｂ等に適切な第２プロファイルを出力側プロファイルとして用いるようにしたので、第１印刷物３８ａ等を形成するために適切な電子原稿をそのまま用いて、様々な印刷条件・観察環境下に応じた第２印刷物３８ｂの色再現を適切に行うことができる。
【０１３７】
さらに、第１印刷物３８ａ又は第２印刷物３８ｂの少なくとも一方にラミネートフイルム４０を被覆する場合は、黒点補正処理部６４により第１又は第２プロファイルが有する色変換ＬＵＴ１２４を黒点補正することができる。
【０１３８】
ここで、黒点補正とは、第１プロファイルに係るガマット（以下、「第１ガマット」という。）境界上の黒点の色値と、第２プロファイルに係るガマット（以下、「第２ガマット」という。）境界上の黒点の色値とを一致させるようにマッピングする色変換処理である。
【０１３９】
図７に示すように、設定画面１３０上のチェックボックス１４８のチェック状態によって黒点補正のＯＮ・ＯＦＦ設定を判別可能である。チェックボックス１４８にチェックマークが付加された場合は黒点補正が「ＯＮ」設定であり、チェックマークが付加されていない場合は黒点補正が「ＯＦＦ」設定である。
【０１４０】
黒点補正を行うアルゴリズムとしては、例えば、特開２００４−１５３５５４号公報に開示された手法を用いることができる。この手法の概要について図１１Ａ〜図１１Ｃを参照しながら説明する。
【０１４１】
図１１Ａは、黒点補正を行う前の第１ガマット１７０（実線で囲む領域）及び第２ガマット１７２（破線で囲む領域）の位置関係を示すグラフである。このグラフの横軸はａ*、縦軸はＬ*で定義されており、三次元色空間Ｌ*ａ*ｂ*の断面図を表す。図１１Ｂ及び図１１Ｃに示すグラフの軸定義についても同様である。
【０１４２】
例えば、第１ガマット１７０は、第１メディア３６ａにラミネートフイルム４０を被覆せずに光源ＰＳ下で観察した場合のガマットであるとする。また、第２ガマット１７２は、第１メディア３６ａにラミネートフイルム４０を被覆して光源ＰＳ下で観察した場合のガマットであるとする。すなわち、ラミネートフイルム４０の被覆の有無によって第１ガマット１７０と第２ガマット１７２との差異が生じた場合について考える。
【０１４３】
第１ガマット１７０における白点ｗｔ１が（Ｌ*wt1，ａ*wt1，ｂ*wt1）、黒点ｂｋ１が（Ｌ*bk1，ａ*bk1，ｂ*bk1）であるとする。また、第２ガマット１７２における白点ｗｔ２が（Ｌ*wt2，ａ*wt2，ｂ*wt2）、黒点ｂｋ２が（Ｌ*bk2，ａ*bk2，ｂ*bk2）であるとする。
【０１４４】
先ず、第１ガマットの黒点ｂｋ１と第２ガマットの黒点ｂｋ２とを一致させるように、各ガマットを下方に平行移動する。第１ガマット１７０、第２ガマット１７２の黒点補正後の色値をそれぞれ（Ｌ1’，ａ1’，ｂ1’）、（Ｌ2’，ａ2’，ｂ2’）とするとき、各ガマットの変換式は次の（５）式及び（６）式で表される。
（Ｌ1’，ａ1’，ｂ1’）＝（Ｌ*−Ｌ*bk1，ａ*−ａ*bk1，ｂ*−ｂ*bk1）          …（５）
（Ｌ2’，ａ2’，ｂ2’）＝（Ｌ*−Ｌ*bk2，ａ*−ａ*bk2，ｂ*−ｂ*bk2）          …（６）
【０１４５】
このようにして平行移動後の第１ガマット１７０ｓ、第２ガマット１７２ｓが得られる。図１１Ｂに示すように、黒点ｂｋ１の変換後の黒点ｂｋ１’の色値、黒点ｂｋ２の変換後の黒点ｂｋ２’の色値はともに（０，０，０）で一致する。
【０１４６】
次いで、ｂｋ１’とｂｋ２’の一致性を維持しつつ、第１ガマット１７０ｓの白点ｗｔ１’と第２ガマット１７２ｓの白点ｗｔ２’とを一致させるようにガマット変換を行う。ここで、第１ガマット１７０ｓの領域は第２ガマット１７２ｓの領域よりも大きいので、第２ガマット１７２ｓを上方に拡大する変換を行う。
【０１４７】
本実施の形態では、色順応モデルの一種であるＶｏｎ−Ｋｒｉｅｓ変換を応用して、黒点を固定しつつ白点を一致させる方法を用いている。変換アルゴリズムはこれに限られることなく、例えば、ガマットの相似変換（比率の変更）、Ｂｒａｄｆｏｒｄ変換、ＣＩＥＣＡＭ９７ｓ変換、ＣＩＥＣＡＭ０２ｓ変換等を用いてもよい。
【０１４８】
第２ガマット１７２ｓから第２ガマット１７２ｋへのＶｏｎ−Ｋｒｉｅｓ変換式は次の（７）式で表される。
【数１】
2011188091.tif 000003
【０１４９】
ここで、（Ｘ’，Ｙ’，Ｚ’）はガマット変換前の色値であり、（Ｘ”，Ｙ”，Ｚ”）はガマット変換後の色値であり、［Ｍ-1］は［Ｍ］の逆変換行列であり、［Ｍ］は色値ＸＹＺから目の錐体の応答と関係する色値ＰＱＲに変換するための３×３行列である。その他の変数は、次の（８）式で表される。
【０１５０】
【数２】
2011188091.tif 000004
なお、白点ｗｔ１’、白点ｗｔ２’の色値をそれぞれ（Ｘwt1’，Ｙwt1’，Ｚwt1’）、（Ｘwt2’，Ｙwt2’，Ｚwt2’）とする。
【０１５１】
ところで、上記のように２段階にわたってガマット変換を行うのではなく、第２ガマット１７２から第２ガマット１７２ｋに直接変換してもよい。その変換式は、次の（９）式及び（１０）式のように表すことができる。
【数３】
2011188091.tif 000005
【数４】
2011188091.tif 000006
【０１５２】
なお、第２ガマット１７２の白点ｗｔ２、黒点ｂｋ２の色値をそれぞれ（Ｘwt，Ｙwt，Ｚwt）、 （Ｘbk，Ｙbk，Ｚbk）としており、第２ガマット１７２ｋの白点ｗｔ２”、黒点ｗｔ２”の色値をそれぞれ（Ｘwt”，Ｙwt”，Ｚwt”）、 （Ｘbk”，Ｙbk”，Ｚbk”）としている。
【０１５３】
ところで、Ｌ*ａ*ｂ*とＸＹＺとの関係は、次の（１１）式〜（１３）式で表される。
【数５】
2011188091.tif 000007
【０１５４】
ここで、（ＸST，ＹST，ＺST）は基準色値を表す。（１１）式〜（１３）式の逆変換によって、色値（Ｌ*，ａ*，ｂ*）から色値（Ｘ，Ｙ，Ｚ）に一意に変換することができる。
【０１５５】
このようにして、Ｖｏｎ−Ｋｒｉｅｓ変換後の第２ガマット１７２ｋが得られる。図１１Ｃに示すように、白点ｗｔ１’の色値、白点ｗｔ２’の変換後の白点ｗｔ２”の色値は一致する。
【０１５６】
以上のように、第１プロファイルに係る黒点の色値と第２プロファイルに係る黒点の色値とを一致させるようにマッピング（本実施の形態では、ガマットの平行移動）をすることにより、第１印刷物３８ａ等と第２印刷物３８ｂ等との間において、特にシャドー領域内の色再現性を略一致させることができる。
【０１５７】
このアルゴリズムの性質上、第１ラミネートフイルム４０ａ、第２ラミネートフイルム４０ｂのいずれも被覆しない場合には、黒点補正による効果がほとんど得られない。そこで、作業者が、図１２Ａに示すプルダウンメニュー１３４、１４０でいずれも「なし」を選択したとき、ＧＵＩ画像表示制御部７０（図４参照）により、チェックボックス１４８（及び「黒点補正」の文字列）を非表示領域１８０に即時的に変更させてもよい。
【０１５８】
あるいは、作業者が、図１２Ｂに示すプルダウンメニュー１３４、１４０でいずれも「なし」を選択したとき、ＧＵＩ画像表示制御部７０（図４参照）により、アクティブ表示であるチェックボックス１４８を、パッシブ表示であるチェックボックス１８２に置換するようにしてもよい。図１２Ａ又は図１２Ｂに示すように構成すれば、所定の条件における黒点補正のＯＮ・ＯＦＦ設定の変更を防止できる。
【０１５９】
次いで、印刷機１８を用いて電子原稿を印刷した後、得られた第２印刷物３８ｂにラミネート処理を施す（ステップＳ１２）。
【０１６０】
なお、第２印刷物３８ｂ等に対しては、ステップＳ７のような別途の色調整作業は不要である。第１保護膜付印刷物４２ａで色調整された結果が、第２保護膜付印刷物４２ｂにそのまま適用されるからである。
【０１６１】
次いで、別の印刷条件や観察態様での印刷を続けるか否かを判定し（ステップＳ１３）、すべての印刷が終了するまでステップＳ１０〜Ｓ１２を繰り返す。
【０１６２】
以上のように、第１印刷物３８ａと第２印刷物３８ｂとの第１の分光データ１１２、２１２を取得し、第１ラミネートフイルム４０ａと第２ラミネートフイルム４０ｂの第２の分光データ２１４を取得し、光源ＰＳと光源ＤＳとの第３の分光データ１１６、２１６を取得し、取得された第１及び第２の分光データ１１２、１１４並びに光源ＰＳの第３の分光データ１１６に基づいて第１印刷物３８ａ等に対応する第１プロファイルを生成し、取得された第１及び第２の分光データ２１２、２１４並びに光源ＤＳの第３の分光データ２１６に基づいて第２印刷物３８ｂ等に対応する第２プロファイルを生成し、生成された前記第１プロファイルを入力側プロファイルとして用い、生成された前記第２プロファイルを出力側プロファイルとして用いて、第１印刷物３８ａの画像を表す画像データを第２印刷物３８ｂの画像を表す画像データに色変換するようにしたので、第１印刷物３８ａ等を形成するために適切なカラー画像データをそのまま用いて、様々な印刷条件・観察環境下に応じた第２印刷物３８ｂ等の色再現を適切に行うことができる。これにより、印刷条件・観察環境の組合せを変更する都度に色の微調整を行う必要がなくなり、色調整作業に要する工数を大幅に低減することができる。
【０１６３】
なお、この発明は、上述した実施形態に限定されるものではなく、この発明の主旨を逸脱しない範囲で自由に変更できることは勿論である。
【０１６４】
例えば、本実施形態では、カラーチャート３８ｃが有するカラーパッチ４４の個数を１００個、分光データの数を４１点、光波長の間隔を１０ｎｍとしているが、色再現精度、画像処理時間等を総合的に勘案し、これらを自由に変更できるように構成してもよい。
【０１６５】
また、本実施の形態では、保護膜付印刷物４２の測色値の予測式としてＫｕｂｅｌｋａ−Ｍｕｎｋモデルを用いているが、その変形式、あるいは他の数理モデルも適用できることはいうまでもない。
【０１６６】
さらに、本実施形態では、印刷機１８がインクジェット方式である構成を採っているがこれに限定されることなく、電子写真、感熱方式等であっても本発明の作用効果を得ることができる。
【符号の説明】
【０１６７】
１０…印刷システム                        １４…編集装置
１６…画像処理装置                        １８…印刷機
２０…ラミネート処理装置                  ２２…測色計
２４…本体                                ２６…表示装置
３６…メディア                            ３６ａ…第１メディア
３６ｂ…第２メディア                      ３８…印刷物
３８ａ…第１印刷物                        ３８ｂ…第２印刷物
３８ｃ…カラーチャート                    ４０…ラミネートフイルム
４０ａ…第１ラミネートフイルム            ４０ｂ…第２ラミネートフイルム
４２…保護膜付印刷物                      ４２ａ…第１保護膜付印刷物
４２ｂ…第２保護膜付印刷物                ４４…カラーパッチ
５２、６０、７２、７４、７６、７８…Ｉ／Ｆ
５４…ＲＩＰ                              ５６…色変換処理部
５８…印刷機ドライバ                      ６２…プロファイル生成部
６４…黒点補正処理部                      ６６…画像データ生成部
６８…光学物性値推定部                    ７０…ＧＵＩ画像表示制御部
８０…記憶部                              ８２…入力側プロファイル処理部
８４…出力側プロファイル処理部            ８６…データ選択部
８８…測色値算出部                        ８８ａ…反射率・透過率予測部
８８ｂ…Ｌａｂ算出部                      ９０…ＬＵＴ生成部
１００…設定データ                        １０２…メディアの分光データ群
１０４…ラミネートフイルムの分光データ群  １０６…観察光源の分光データ群
１１２、２１２…第１の分光データ          １１４、２１４…第２の分光データ
１１６、２１６…第３の分光データ          １１８、２１８…第４の分光データ
１２０…測色値データ                      １２２…ＣＭＹＫ値データ
１２４…色変換ＬＵＴ                      １３０…設定画面
１３２、１３４、１３６、１３８、１４０、１４２…プルダウンメニュー
１４４ａ、１４６ａ…テキストボックス      
１４４ｂ、１４６ｂ、１５０、１５２…ボタン
１４８、１８２…チェックボックス          １６０…測定試料
１６２…基材                              １６４…黒色材
１７０、１７０ｓ…第１ガマット            
１７２、１７２ｋ、１７２ｓ…第２ガマット
【図１】
2011188091.tif 000008
【図２】
2011188091.tif 000009
【図３】
2011188091.tif 000010
【図４】
2011188091.tif 000011
【図５】
2011188091.tif 000012
【図６】
2011188091.tif 000013
【図７】
2011188091.tif 000014
【図８】
2011188091.tif 000015
【図９】
2011188091.tif 000016
【図１０】
2011188091.tif 000017
【図１１】
2011188091.tif 000018
【図１２】
2011188091.tif 000019